(57)【要約】【課題】寒い時期に美容器を使用する際に、美容器のマッサージ用のローラを加温することができる加温器を提供する。【解決手段】ハンディタイプ美容器１２のマッサージ用のローラ１４を加温するための加温器１１には、本体１５を設ける。本体１５の一部には、美容器１２のローラ１４を着脱可能に受けて、そのローラ１４に人体の体温よりやや高い温度を付与する加温部１６を設ける。【選択図】図１
2014226334.tif 000002
【特許請求の範囲】
【請求項１】
マッサージ用のローラを備える美容器の同ローラを加温するための加温器であって、
本体と、
その本体の一部に設けられ、前記ローラを着脱可能に受けるとともに、ローラを加温する加温部と
を設けた加温器。
【請求項２】
前記本体は、脚部を有し、自立可能である請求項１に記載の加温器。
【請求項３】
前記加温部を本体の上部に上向きに設けた請求項１または２に記載の加温器。
【請求項４】
前記加温部は、前記ローラを収容可能な凹状に形成された請求項１〜３のうちのいずれか一項に記載の加温器。
【請求項５】
前記本体は、前記美容器に備えられたハンドルを収容可能な凹部を有する請求項１〜４のうちのいずれか一項に記載の加温器。
【請求項６】
加温部は、ヒータと、そのヒータの熱によって加熱されてローラに熱を伝導する伝熱部材とを備えた請求項１〜５のうちのいずれか一項に記載の加温器。
【請求項７】
前記加温部による付与温度を所定値に維持するための温度維持装置を設けた請求項１〜６のうちのいずれか一項に記載の加温器。
【発明の詳細な説明】
【技術分野】
【０００１】
この発明は、ハンディタイプのマッサージ用の美容器のローラを加温するための加温器に関するものである。
【背景技術】
【０００２】
従来、ハンドルに支持されたマッサージ用におけるローラを肌に接触させて回転させることにより、マッサージ効果や血行促進効果を得るようにしたハンディタイプ美容器が知られている。このような構成の美容器を冬期等の寒い時期に使用した場合、冷たいローラが肌に接触して、違和感や不快感等を覚えやすい。
【０００３】
このような問題に対処するため、例えば特許文献１に開示されるような構成の美容器も従来から提案されている。この従来構成においては、マッサージ用のローラの内部に、そのローラを加熱するためのヒータが配設されている。
【先行技術文献】
【特許文献】
【０００４】
【特許文献１】特開２０１２−１２０５５３号公報
【発明の概要】
【発明が解決しようとする課題】
【０００５】
ところが、この特許文献１の加温器では、ローラの内部にヒータが組み込まれて、そのヒータに給電を行うため電池がハンドル内に装着されている。よって、ヒータや電池を含む電気系統のために美容器の構造が複雑になるとともに、美容器の重量が増えて、使い勝手が損なわれるというおそれがあった。また、このように内部に電気系統を組み込んだ美容器では、入浴時に使用されることを考慮して、内部に水の侵入を防止するための防水構造を施す必要があり、美容器の構造がさらに複雑になるという問題もあった。
【０００６】
この発明は、このような従来の技術に存在する問題点に着目してなされたものである。その目的は、美容器の構造が複雑になったり、美容器の重量が増大したりすることなく、寒い時期に美容器を使用する際に、マッサージ用のローラを好適に加温することができる加温器を提供することにある。
【課題を解決するための手段】
【０００７】
上記の目的を達成するために、この加温器は、ハンディタイプ美容器のマッサージ用のローラを加温するための加温器であって、本体と、その本体の一部に設けられ、前記ローラを着脱可能に受けるとともに、ローラを加温する加温部とを設けたことを特徴としている。
【０００８】
従って、この加温器においては、美容器を冬期等の寒い時期に使用する場合、美容器のマッサージ用のローラを加温器の加温部上に設置して、加温器を作動させれば、加温部によりローラを適温に加温させることができる。よって、マッサージ用のローラに加温用のヒータを内装した従来構成とは異なり、美容器の構造が複雑になったり、美容器の重量が増えたりすることがなく、美容器を快適に使用できる。
【発明の効果】
【０００９】
前記の加温器によれば、美容器の構造が複雑になったり、美容器の重量が増えたりすることなく、寒い時期に美容器を使用する場合であっても、その美容器を快適に使用できるという効果を発揮する。
【図面の簡単な説明】
【００１０】
【図１】第１実施形態の加温器を美容器とともに示す斜視図。
【図２】図１の加温器の使用状態を示す側面図。
【図３】図２の３−３線における拡大断面図。
【図４】第２実施形態の加温器を美容器とともに示す斜視図。
【図５】図４の加温器の使用状態を示す側面図。
【図６】第３実施形態の使用状態を示す側面図。
【図７】第４実施形態の使用状態を示す側面図。
【図８】変更例を示す断面図。
【図９】別の変更例を示す断面図。
【発明を実施するための形態】
【００１１】
（第１実施形態）
以下、加温器の第１実施形態を図１〜図３に従って説明する。
この実施形態の加温器１１は、図１及び図２に示すような構造のハンディタイプ美容器１２に適用できるように構成されている。この美容器１２においては、細長いハンドル１３の二股状をなす先端部に、球体状の２つのマッサージ用のローラ１４が先広がりの傾斜状に延びる軸線を中心に回転可能に装着されている。そして、ハンドル１３を把持した状態で、両ローラ１４が肌に接触されて回転されることにより、マッサージ効果や血行促進効果等が得られるようになっている。
【００１２】
図１及び図２に示すように、前記加温器１１には、合成樹脂よりなる本体１５が備えられている。本体１５の底部には、加温器１１全体をテーブル等の上面に自立状態で設置するための後方へ向かって突出する二股状の脚部１５１が設けられている。なお、ここでは、図２の左側を前側、右側を後側とする。この脚部１５１の横幅Ｌ１は、本体１５の頭部の横幅Ｌ２とほぼ同一となるように形成されている。そして、脚部１５１が本体１５の頭部の両側方に突出することがなく、外観を損なうおそれが抑制されるとともに、本体１５の頭部と同幅の脚部１５１によって加温器１１が自立状態に安定に保持されるようになっている。ただし、加温器１１が自立できるのであれば、脚部１５１の横幅Ｌ１が本体１５の頭部の横幅Ｌ２より狭くてもよく、逆に広くてもよい。
【００１３】
図１〜図３に示すように、前記本体１５の頭部上面には、透孔１５２が形成されている。透孔１５２と対応する位置には、美容器１２のローラ１４を着脱可能に設置して、そのローラ１４が人体の体温よりやや高い温度（例えば３８〜４５℃。３９〜４１℃が好ましい）となるように、ローラ１４に対して温度を付与するための加温部１６が配設されている。加温部１６は、アルミニウム等の熱伝導性の良好な伝熱部材としての金属板材１６２とヒータ１７とを備えている。
【００１４】
前記金属板材１６２は加温部１６の上面に位置し、その金属板材１６２には、ローラ１４を収容可能な２つの上向きのほぼ球形凹状のローラ収容部１６１が形成されている。加温部１６の下方において本体１５の中間部の後面には、美容器１２のハンドル１３を収容可能な凹部としてのハンドル収容部１５３が形成されている。
【００１５】
図１〜図３に示すように、前記ヒータ１７は、前記加温部１６の下面中央部において両ローラ収容部１６１間に位置するように配設されている。このヒータ１７としては、加温部１６による付与温度を所定値に維持するための温度維持装置としての機能を具備したＰＴＣ（Positive Temperature Coefficient：例えば、チタン酸バリウムセラミック）ヒータが用いられている。このＰＴＣヒータ１７は、電流が流れると自己発熱するが、温度が上昇すると、抵抗値が次第に増加して電流の流れを制限する特性を有している。この特性によって、ヒータ１７による加温部１６の温度がほぼ定温に調整される。
【００１６】
図１及び図２に示すように、前記本体１５の後面の上部側には、ヒータ１７への給電回路を開閉操作するためのメインスイッチ１８が設けられている。本体１５のハンドル収容部１５３内には、サブスイッチ１９が設けられている。このサブスイッチ１９は、常開タイプであって、メインスイッチ１８が閉じられている状態において、ハンドル収容部１５３内に美容器１２のハンドル１３が収容されたときに、ハンドル１３によって切替えられてヒータ１７への給電回路を閉じる。また、サブスイッチ１９は、メインスイッチ１８が閉じられていても、ハンドル１３がハンドル収容部１５３内に収容されていないときには、ヒータ１７への給電回路を開放する。
【００１７】
本体１５の頭部上面には、ヒータ１７の抵抗値に応じてヒータ１７の通電状態と、ヒータ１７の温度状態を表示するための表示ランプ２０が設けられている。例えば、ヒータ１７に通電されて、ヒータ１７が最高温度である定温発熱状態になったときには表示ランプ２０が赤色に点灯し、ヒータ１７に通電されているが、ヒータ１７が定温発熱状態以前の状態のときには、黄色に点灯する。ヒータ１７に通電されていないときには、表示ランプ２０は点灯しない。
【００１８】
本体１５の脚部１５１の二叉基部には、ヒータ１７への給電回路に接続されたＡＣアダプタ接続口２１が設けられている。そして、ヒータ１７の使用時に、このＡＣアダプタ接続口２１が図示しないＡＣアダプタを介して商用交流電源に接続されるようになっている。
【００１９】
次に、前記のように構成された加温器の作用を説明する。
加温器１１は、本体１５を脚部１５１によりテーブル等の上面に自立状態で設置される。この状態で、美容器１２のハンドル１３及びローラ１４を加温器１１上のハンドル収容部１５３及びローラ収容部１６１に収容配置すれば、加温器１１を美容器１２の専用の置台として使用することができる。
【００２０】
そして、美容器１２を冬期等の寒い時期に使用する場合には、加温器１１のＡＣアダプタ接続口２１を図示しないＡＣアダプタを介して交流電源に接続する。また、本体１５のメインスイッチ１８を閉じる。このようにすると、ハンドル収容部１５３内のサブスイッチ１９がハンドル１３との接触により閉じられて、ヒータ１７に通電される。これにより、ヒータ１７の発熱により加温部１６が加温されて、その温度が金属板材１６２から美容器１２のローラ１４に伝導されて、ローラ１４が加温される。
【００２１】
この場合、ヒータ１７として、加温部１６による付与温度を所定値に維持するための温度維持装置としての機能を具備したＰＴＣヒータが用いられている。このため、ヒータ１７による加温部１６の温度が適度に調整されて、ローラ１４に対する付与温度が体温よりやや高い所定温度（例えば４０℃程度）となるように維持される。よって、このローラ１４の加温状態で、美容器１２を加温器１１から取り外してマッサージ等に使用すれば、冬期等の寒い時期であっても、冷たいローラ１４が肌に接触する違和感や不快感を回避できて、快適に使用することができる。
【００２２】
また、冬期等の寒い時期以外の時期においては、ＡＣアダプタ接続口２１に交流電源を接続せず、あるいはメインスイッチ１８を開いたままの状態で、美容器１２のハンドル１３及びローラ１４を加温器１１上のハンドル収容部１５３及びローラ収容部１６１に収容すればよい。
【００２３】
従って、この実施形態によれば、以下のような効果を得ることができる。
（１）  前記本体１５が底部に脚部１５１を有して、自立可能に構成されている。このため、加温器１１の本体１５を自立させた状態で、加温部１６のローラ収容部１６１に美容器１２のローラ１４を、ハンドル収容部１５３にハンドル１３を収容させることにより、美容器１２を立てた状態で見栄えよく安定して設置することができる。従って、加温器１１を専用の置き台として使用することができる。
【００２４】
（２）  美容器１２の使用に際しては、その美容器１２を本体１５から取り上げるだけでよく、その取扱いが容易である。
（３）  美容器１２を本体１５に支持した状態で、加温部１６により美容器１２のローラ１４に対して体温よりやや高い温度が付与される。
【００２５】
このため、美容器１２を冬期等の寒い時期に使用する場合、美容器１２のマッサージ用のローラ１４を加温器１１の加温部１６上に設置しておくのみで、ローラ１４が快適な温度に加温されて、維持される。よって、マッサージ用のローラに加温用のヒータを内装した従来構成とは異なり、美容器の構造が複雑になったり、美容器の重量が増えたりすることがなく、マッサージ用のローラ１４を好適に加温して、マッサージ等に快適に使用することができる。
【００２６】
（４）  美容器１２を加温器１１から取り上げれば、サブスイッチ１９が開かれるため、本体１５のヒータ１７に対する通電が停止される。従って、無駄な電力消費を避けることができる。
【００２７】
（５）  ヒータ１７は、前記加温部１６による付与温度を所定値に維持するための温度維持装置としての機能を備えている。このため、専用の温度維持装置を設けることなく、加温部１６による付与温度が所定値に維持されて、美容器１２のローラ１４を適温に加温することができ、構成を簡素化できる。
【００２８】
（６）  表示ランプ２０の点灯により、美容器１２のローラ１４が適温に温められた状態が一目でわかるため、ローラ１４の温度を触って確認するような煩わしさを回避できる。
【００２９】
（７）  ヒータ１７が金属板材１６２の裏面中央部に設けられている。この場合、金属板材１６２が伝熱板の役割を果たす。従って、ヒータ１７を金属板材１６２の一対の収容部１６１ごとに設ける必要はなく、ヒータ１７は１箇所に設ければよく、構成が簡単になる。
【００３０】
（第２実施形態）
次に、加温器の第２実施形態を前記第１実施形態と異なる部分を中心に説明する。
この実施形態の加温器１１は、図４及び図５に示すような構造のハンディタイプ美容器１２に適用できるように構成されている。この美容器１２においては、平面的に広がる形状のハンドル１３の四隅のコーナ部下面に、球体状の４つのマッサージ用のローラ１４が装着されている。これらのローラ１４は、ローラ１４が水平面に対して設置された状態で、鉛直線に対して傾斜状に延びる軸線を中心に回転可能に装着されている。各ローラ１４は、合成樹脂製の球体の表面に金属製の導電材をメッキすることにより構成されている。図示しないがハンドル１３内には、複数のローラ１４の導電メッキ間に電位差を与える給電装置、及びその給電装置に電力を供給する充電可能な二次電池が設けられている。そして、ハンドル１３を把持した状態で、両ローラ１４が肌に接触されて回転されることにより、ローラ１４による押圧や摘み上げと、ローラ１４の導電メッキ間の電位差にともなう電気刺激との協働作用で、マッサージ効果や血行促進効果が得られるようになっている。
【００３１】
図４及び図５に示すように、前記加温器１１の本体１５は、合成樹脂により構成され、テーブル等の上面に設置して使用するようになっている。本体１５の上面は、手前側に向かって下降傾斜するように形成されている。本体１５の上面には、美容器１２のローラ１４と対応する平面円形状の４つの透孔１５２が間隔をおいて形成されている。各透孔１５２には、ローラ１４を収容可能な凹状のローラ収容部１６１を有する金属板材１６２が設けられている。各金属板材１６２の下面側には、加温のためのＰＴＣヒータよりなるヒータ１７が取り付けられている。このヒータ１７と金属板材１６２は加温部１６を構成している。本体１５の上面前部には、ヒータ１７の給電回路を開閉するメインスイッチ１８が設けられている。前記本体１５の上面後部には、ヒータ１７の通電状態を表示する表示ランプ２０が設けられている。図示しないが、本体１５の上面には、サブスイッチ１９が設けられている。このサブスイッチ１９は近接スイッチよりなり、美容器１２が加温器１１上から離脱されると、ヒータ１７に対する給電回路を遮断する。
【００３２】
図４及び図５に示すように、前記加温器１１の本体１５の上面中央部には、凸部２５が形成されている。凸部２５内には、充電用の一次側コイル２６が配設されている。美容器１２のハンドル１３内には、加温器１１側の一次側コイル２６と対応する充電用の二次側コイル２７が配設されている。前記一次側コイル２６にはコンバータ等を介して交流電流あるいは断続的なパルス電流が供給される。
【００３３】
そして、図５に示すように、美容器１２の各ローラ１４が加温器１１の各加温部１６上に設置されて、サブスイッチ１９が閉じられた状態で、メインスイッチ１８が閉じられることにより、各ヒータ１７及び一次側コイル２６に通電される。このヒータ１７への通電にともない各加温部１６が加温されて、美容器１２の各ローラ１４が人体温度よりやや高い適温となるように加温される。また、一次側コイル２６への通電にともない、二次側コイル２７との間で電磁誘導による非接触充電動作が行われて、本体１５内の図示しない二次電池の充電が行なわれる。
【００３４】
本体１５の上面には、前記第１実施形態の表示ランプ２０と同様な機能の表示ランプ２０が設けられている。
従って、この第２実施形態においては、美容器１２を立てて設置することを除いて、前記第１実施形態における効果とほぼ同様な効果を得ることができるとともに、以下の効果を得ることができる。
【００３５】
（８）  美容器１２の各ローラ１４に対する加温とともに、美容器１２の二次電池に対する充電を行なうことができ、専用の充電装置が不要になるとともに、充電のための電源への接続等の取扱いが不要になる。
【００３６】
（第３実施形態）
次に、加温器の第３実施形態を前記第１実施形態と異なる部分を中心に説明する。
この実施形態の加温器１１は、図６に示すように、前記第１実施形態と同一構造のハンディタイプ美容器１２に適用できるように構成されている。この加温器１１の本体１５は、合成樹脂によりほぼ扁平形状をなすように構成され、テーブル等の上面に設置して使用するようになっている。本体１５の上面後部には、美容器１２のローラ１４を加温するための前記第１実施形態とほぼ同一構造の加温部１６が設けられている。本体１５の上面前部には、美容器１２のハンドル１３を収容するためのハンドル収容部１５３が形成されている。そして、美容器１２のハンドル１３を本体１５のハンドル収容部１５３に収容するとともに、美容器１２のローラ１４を加温部１６のローラ収容部１６１に収容した状態で、ローラ１４の加温を行うようになっている。
【００３７】
従って、この第３実施形態においては、美容器１２を立てて設置することを除いて、前記第１実施形態における効果とほぼ同様な効果を得ることができる。
（第４実施形態）
次に、加温器の第４実施形態を前記第１実施形態と異なる部分を中心に説明する。
【００３８】
この実施形態の加温器１１は、図７に示すように、前記第１実施形態と同一構造のハンディタイプ美容器１２に適用できるように構成されている。この加温器１１の本体１５は、合成樹脂により小形のほぼ箱型状をなすように構成され、テーブル等の上面に設置して使用するようになっている。本体１５の上面には、前記第１実施形態とほぼ同一構造の加温部１６が設けられている。そして、美容器１２のハンドル１３の端部をテーブルの上面等に設置するとともに、美容器１２のローラ１４を加温部１６のローラ収容部１６１に収容した状態で、ローラ１４の加温を行うようになっている。
【００３９】
従って、この第４実施形態においても、美容器１２を立てて設置することを除いて、前記第１実施形態における効果とほぼ同様の効果な得ることができる。特に、この実施形態では以下の効果がある。
【００４０】
（９）  加温器１１を美容器１２のローラ１４の部分と対応する大きさに構成できるため、全体の小形化が可能である。
（変更例）
なお、この実施形態は、次のように変更して具体化することも可能である。
【００４１】
・  図８及び図９に示すように、加温器１１には、同加温器１１上に設置された美容器１２を覆う着脱可能なカバー３１を設けること。このようにすれば、カバー３１によって美容器１２の周囲を保温できる。このカバー３１としては、透明または半透明の合成樹脂が好ましい。また、図８に示すように、第１実施形態の加温器１１に用いられるカバー３１は、２点鎖線３２で端部の位置を示すように、ローラ１４の部分のみを覆う短いものであってもよい。
【００４２】
・  加温部１６の収容部１６１の形状を、円筒ローラ形状のローラ１４を収容可能な形状とすること。つまり、ローラ１４が円筒状あるいは円筒に近い樽型をなす美容器１２や、ローラ１４がラグビーボール形，楕円球状等の美容器１２に対応できるようにすること。
【００４３】
・  前記各実施形態では、ローラ１４の加温を熱伝導によって行なうようにしたが、輻射によってローラ１４を加温するように構成すること。
・  前記第１実施形態及び第２実施形態において、収容部１６１を複数のローラ１４を収容する形状にすること。すなわち、例えば第１実施形態の構成においては、２つ収容部１６１を連続させて横長の１つの収容部１６１とすること。
【００４４】
・  第１実施形態において、各収容部１６１の下側にそれぞれ面状のヒータ１７を設けること。
・  第１実施形態において、加温器１１の本体１５の底面に転倒検出スイッチを設けて、本体１５が転倒したときに、ヒータ１７に対する通電が停止されるようにすること。
【００４５】
・  ヒータ１７の通電時間を設定できるタイマを設けること。例えば、タイマによってヒータ１７の作動時間を午後６時から午後１０時までの４時間に制限すれば、電力消費を節約できる。
【００４６】
・  ヒータ１７の通電時間を設定できるタイマを設け、通電開始から所定時間（例えば、３０分）経過したときに、通電が停止されるように構成すること。このようにすれば、電力消費を節約できる。
【００４７】
・  ヒータとして、ローラ１４の金属メッキを誘導加熱するための構成を採用すること。
・  ヒータ１７としてＰＴＣヒータとは異なった通常のヒータを使用し、そのヒータ１７の定温維持装置としてのバイメタル等よりなるサーモスタットを採用すること。
【００４８】
（他の技術的思想）
前記実施形態から把握される技術的思想は以下の通りである。
（Ａ）  ヒータを複数の収容部間の位置に設けた請求項１〜７のうちのいずれか一項に記載の加温器。
【００４９】
（Ｂ）  ヒータは温度に応じて電気抵抗が変化し、自身で定温維持機能を果たす請求項１〜７，または前記技術的思想（Ａ）項に記載の加温器。
（Ｃ）  加温部は、ローラを３８〜４５℃の範囲内の温度に加温する請求項１〜７，前記技術的思想（Ａ）項または（Ｂ）項のうちのいずれか一項に記載の加温器。
【００５０】
（Ｄ）  加温部は、ローラを３９〜４１℃の範囲内の温度に加温する請求項１〜７，前記技術的思想（Ａ）〜（Ｃ）項のうちのいずれか一項に記載の加温器。
（Ｅ）  ヒータに対する通電を開閉するメインスイッチと、メインスイッチの閉路状態において本体に美容器が支持されたときに閉じられる常開型のサブスイッチとを設けた請求項１〜７，前記技術的思想（Ａ）〜（Ｄ）項のうちのいずれか一項に記載の加温器。
【符号の説明】
【００５１】
１１…加温器、１２…ハンディタイプ美容器、１３…ハンドル、１４…マッサージ用のローラ、１５…本体、１５１…脚部、１５３…収容部、１６…加温部、１６１…凹状の収容部、１７…温度維持装置としての機能を備えたヒータ。
【図１】
2014226334.tif 000003
【図２】
2014226334.tif 000004
【図３】
2014226334.tif 000005
【図４】
2014226334.tif 000006
【図５】
2014226334.tif 000007
【図６】
2014226334.tif 000008
【図７】
2014226334.tif 000009
【図８】
2014226334.tif 000010
【図９】
2014226334.tif 000011